(57)【要約】【課題】  循環搬送路を備えた飲食店における緊急時の脱出を容易にする避難支援装置を提供する。  【解決手段】飲食物を搬送するコンベアを備えた飲食店に設置され、前記コンベアとの組み合わせにより飲食物の循環搬送路を形成することができる避難支援装置であって、飲食物の搬送面４ａ，４ｂを上面に有する装置本体２と、装置本体２を搬送面４ａ，４ｂの搬送方向に対して直交する方向に移動させるキャスター５０と、搬送面４ａ，４ｂの搬送方向に沿って装置本体２の上面に設けられ、先端部が装置本体２の端面から搬送面４ａ，４ｂの搬送方向外方に突出する突出部材１５，１６，３５，３６を備える仕切手段１１ａ，１１ｂ，３１と、突出部材１５，１６，３５，３６を突出した状態で固定する固定手段６０とを備え、仕切手段１１ａ，１１ｂ，３１は、固定手段６０の固定解除操作により、突出部材１５，１６，３５，３６の先端部を装置本体２の端面２ｃ，２ｄより内方に移動させる付勢手段１３，１４，３３，３４を備えていることを特徴とする避難支援装置１。【選択図】  図２
2006143367.tif 000002
【特許請求の範囲】
【請求項１】
飲食物を搬送するコンベアを備えた飲食店に設置され、前記コンベアとの組み合わせにより飲食物の循環搬送路を形成することができる避難支援装置であって、
飲食物の搬送面を上面に有する装置本体と、
前記装置本体を前記搬送面の搬送方向に対して直交する方向に移動させるキャスターと、
前記搬送面の搬送方向に沿って前記装置本体の上面に設けられ、先端部が前記装置本体の端面から前記搬送面の搬送方向外方に突出する突出部材を備える仕切手段と、
前記突出部材を突出した状態で固定する固定手段とを備え、
前記仕切手段は、前記固定手段の固定解除操作により、前記突出部材の先端部を前記装置本体の端面より内方に移動させる付勢手段を備えていることを特徴とする避難支援装置。
【請求項２】
前記突出部材は、前記コンベアとの間で搬送される飲食物を案内するガイド部材を備えており、
前記ガイド部材は、一端側が前記突出部材に回転可能に支持されている請求項１に記載の避難支援装置。
【請求項３】
前記固定手段は、前記突出部材と係合する係止部材と、
前記係止部材を前記装置本体の上方に突出させた状態で支持する支持手段とを備え、
前記固定手段の固定解除操作により、前記係止部材が前記装置本体の上面から埋没するように構成されている請求項１又は２に記載の避難支援装置。
【発明の詳細な説明】
【技術分野】
【０００１】
本発明は、例えば回転寿司店などのように飲食物を搬送するコンベアを備えた飲食店において、火災などの緊急時における避難を支援する避難支援装置に関する。
【背景技術】
【０００２】
回転寿司店などの飲食店においては、飲食物の循環搬送路を設置して飲食物を提供することが従来から行われている。例えば、特許文献１には、図１０に示すように、隔壁１０１により仕切られた厨房エリア１０２と飲食客エリア１０３に循環搬送路１０４を設置した構成が開示されている。この循環搬送路１０４は、厨房エリア１０２内を隔壁１０１に沿って循環する直線搬送路１０４ａと、隔壁１０１より飲食客エリア１０３側に突出する３列の張出し搬送路１０４ｂとからなり、全体が平面視Ｅ字状の循環搬送路となっている。各張出し搬送路１０４ｂの両側には、飲食カウンタ１０５又は複数のテーブル１０６が設けられている。
【０００３】
この循環搬送路１０４によれば、厨房エリア１０２にいる調理人が、寿司などの飲食物を載せた皿を直線搬送路１０４ａに順次載置することにより飲食物が搬送され、飲食カウンタ１０５又はテーブル１０６の客が、好みの飲食物の皿を選んで張出し搬送路１０４ｂから取り出すことができる。
【特許文献１】特開２００３−７０６１３号公報
【発明の開示】
【発明が解決しようとする課題】
【０００４】
前記循環搬送路１０４は、席数をできるだけ多く取れるように、図１０に示すように複数の張出し搬送路１０４ｂが櫛歯状に配置されるのが一般的である。このような構成においては、各テーブル１０６が配置される空間が、直線搬送路１０４ａおよび対向する２列の張出し搬送路１０４ｂによって囲まれた閉鎖空間に近い状態になる。例えば、各張出し搬送路１０４ｂには片側に７台のテーブル１０６が配置されるのが一般的であるため、張出し搬送路１０４ｂもそれに応じた長さが必要であり、このようなレイアウト下で繁忙時には店内に３００人程度の客が収容されるので、緊急の際に特に隔壁１０１側のテーブル１０６に着席している客が店外に脱出し難いという問題があった。
【０００５】
本発明は、このような問題を解決すべくなされたものであって、循環搬送路を備えた飲食店における緊急時の脱出を容易にする避難支援装置の提供を目的とする。
【課題を解決するための手段】
【０００６】
本発明の上記目的は、飲食物を搬送するコンベアを備えた飲食店に設置され、前記コンベアとの組み合わせにより飲食物の循環搬送路を形成することができる避難支援装置であって、飲食物の搬送面を上面に有する装置本体と、前記装置本体を前記搬送面の搬送方向に対して直交する方向に移動させるキャスターと、前記搬送面の搬送方向に沿って前記装置本体の上面に設けられ、先端部が前記装置本体の端面から前記搬送面の搬送方向外方に突出する突出部材を備える仕切手段と、前記突出部材を突出した状態で固定する固定手段とを備え、前記仕切手段は、前記固定手段の固定解除操作により、前記突出部材の先端部を前記装置本体の端面より内方に移動させる付勢手段を備えている避難支援装置により達成される。
【０００７】
この避難支援装置において、前記突出部材は、前記コンベアとの間で搬送される飲食物を案内するガイド部材を備えており、前記ガイド部材は、一端側が前記突出部材に回転可能に支持されていることが好ましい。
【０００８】
また、この避難支援装置において、前記固定手段は、前記突出部材と係合する係止部材と、前記係止部材を前記装置本体の上方に突出させた状態で支持する支持手段とを備え、前記固定手段の固定解除操作により、前記係止部材が前記装置本体の上面から埋没するように構成されていることが好ましい。
【発明の効果】
【０００９】
本発明によれば、循環搬送路を備えた飲食店における緊急時の脱出を容易にする避難支援装置を提供することができる。
【発明を実施するための最良の形態】
【００１０】
以下、本発明の実施形態について添付図面を参照して説明する。図１は、本発明の一実施形態に係る避難支援装置が設置された飲食店の概略平面図である。図２は、避難支援装置の概略平面図であり、図３は、当該避難支援装置をメインコンベアと分岐コンベアとの間に配置し使用可能な状態にセッティングした状態を示す概略平面図である。図４（ａ）は、図３のＡ−Ａ断面図であり、図４（ｂ）は、図４（ａ）のＢ部拡大図である。
【００１１】
図１に示すように、飲食店の内部には、メインコンベア９０と、このメインコンベア９０に対して一方側に垂直に延びる複数の分岐コンベア９１とが設けられており、メインコンベア９０と分岐コンベア９１との間に避難支援装置１が設けられている。
【００１２】
メインコンベア９０および分岐コンベア９１は、ベルトコンベア、ローラコンベア、チェーンコンベアなど種々のコンベアとすることが可能であり、それぞれ無端状に構成されている。各分岐コンベア９１を挟んで両側には、複数のテーブル９２が略等間隔に設置されている。尚、図１においては、設置された分岐コンベア９１のうち、飲食店の略中央に設置された２列の分岐コンベア９１のみを示している。
【００１３】
避難支援装置１は、図２に示すように、装置本体２の上面に、搬送方向が互いに反対である２つの搬送面４ａ，４ｂと、仕切装置１０とを備えている。本実施形態においてはベルトコンベアにより搬送面４ａ，４ｂを形成しているが、他のコンベアであってもよい。
【００１４】
仕切装置１０は、２つの側方仕切手段１１ａ，１１ｂと中央仕切手段３１とを備えている。側方仕切手段１１ａ，１１ｂは、それぞれ装置本体２の上面側縁２ａ，２ｂと搬送面４ａ，４ｂとの間を仕切るように、搬送面４ａ，４ｂに沿って配置されている。側方仕切手段１１ａ，１１ｂは、互いに同一の構成であるため、同一の部材については同一の符号を付し、代表的に側方仕切手段１１ａの構成について以下に説明する。側方仕切手段１１ａは、断面コ字状のハウジング１２、付勢手段１３，１４および側方突出部材１５，１６を備えている。ハウジング１２は、両端が開口しており、内部に付勢手段１３，１４を固定する取付部材１７，１８を備えている。付勢手段１３，１４として、本実施形態においては、弾性部材であるつるまきばねを使用しているが、つるまきばねの他に、例えば、ゴム等の合成樹脂により形成した合成樹脂ばねを使用することもできる。側方突出部材１５，１６は、ハウジング１２の内部空間に収納可能な大きさに形成されている断面矩形状の部材であり、付勢手段１３，１４を介して取付部材１７，１８と連結している。図２に示すように、側方突出部材１５，１６は、ハウジング１２内に収納されている状態において、先端部１５ａ，１６ａを僅かにハウジング１２から突出させるように配置されている。また、先端部１５ａ,１６ａが、装置本体２の端面２ｃ,２ｄよりも内方に位置するように配置されている。
【００１５】
中央仕切手段３１は、搬送面４ａと４ｂとの間を仕切るように搬送面４ａ，４ｂに沿って配置されている。中央仕切手段３１は、断面コ字状のハウジング３２、付勢手段３３，３４、中央突出部材３５，３６およびガイド部材３７，３８を備えている。中央仕切手段３１は、側方仕切手段１１ａ，１１ｂよりも幅広に形成されているが、この基本構成は、ガイド部材３７，３８を更に備えている点以外は、側方仕切手段１１ａ，１１ｂの構成と略同一である。
【００１６】
ガイド部材３７，３８は、メインコンベア９０との間で搬送される飲食物などの被搬送物を案内するための棒状部材であり、一方の端部において、ヒンジ３９，４０を介して中央突出部材３６の端部上面に回転自在に取り付けられている。また、ガイド部材３７，３８は、中央突出部材３６に取り付けられた状態でハウジング３２内に収納可能に構成されており、収納状態において、先端部４１，４２を僅かにハウジングから突出させるように配置されている。また、ガイド部材３７，３８は、先端部４１，４２が装置本体２の端面２ｃよりも内方に位置するように配置されている。なお、本実施形態において、ガイド部材３７，３８として直線状の棒状部材を採用しているが、これに限定されるものではなく、例えば、弓状部材等を採用することもできる。
【００１７】
このように構成された仕切装置１０は、図３に示すように、メインコンベア９０と分岐コンベア９１との間に装置本体２を配置した後、付勢手段１３，１４，３３，３４であるつるまきばねを引張変形させながら、側方突出部材１５，１６および中央突出部材３５，３６をそれぞれハウジング１２，３２から抜き出して、後述する固定手段６０によって固定する。側方突出部材１５及び中央突出部材３５の先端部１５ａ，３５ａは、装置本体２の端面２ｄから搬送面４ａ,４ｂの搬送方向外方に突出した状態で固定されている。側方突出部材１５，１６または中央突出部材３５，３６は、それぞれハウジング１２，３２から抜き出されてメインコンベア９０または分岐コンベア９１の仕切壁９３，９４ａ，９４ｂと近接して固定されているため、搬送面４ａ，４ｂ上を搬送される被搬送物(例えば円形の皿に載せた飲食物)が、床面に落下することを防止することができる。
【００１８】
また、ガイド部材３７，３８は、中央突出部材３６をハウジング３２から抜き出して固定した後、図３に示すように、メインコンベア９０側に突出させて配置する。また、メインコンベア９０上または搬送面４ａ上を搬送される被搬送物による押圧によってガイド部材３７，３８が回転移動しないように、メインコンベア９０に設けられている係止片９５，９６と当接するように配置する。ガイド部材３７，３８は、メインコンベア９０上を搬送される被搬送物を、一方のガイド部材３８に沿って避難支援装置１に案内すると共に、避難支援装置１から搬送された被搬送物を、他方のガイド部材３７に沿って再びメインコンベア９０上に案内する。また。分岐コンベア９１は、避難支援装置１から搬送された被搬送物を、各テーブル９２の近傍を通過するように循環させた後、中央突出部材３５及びローラ９７によって再び避難支援装置１に案内する。
【００１９】
避難支援装置１は、図４の断面図に示すように、装置本体２の底部に設けられたキャスター５０と、装置本体２の内部に設けられた固定手段６０とを備えている。
【００２０】
キャスター５０は、装置本体２が搬送面４ａ，４ｂの搬送方向に対して直交する方向（図４（ａ）の左右方向）に移動可能となるように、装置本体２の底部に回転自在に取り付けられている。
【００２１】
固定手段６０は、支持手段６１、ストッパ部材６３および牽引部６４を備えている。
支持手段６１は、後述するストッパ部材６３に設けられている係止部材６６を装置本体２の上方に突出させた状態でストッパ部材６３を支持するものであり、支持台６１ａと弾性部材６１ｂとを備えている。支持台６１ａは、装置本体２の内部に固定されており、後述する牽引部材を挿通する挿通孔６５を所定位置に備えている。弾性部材６１ｂは、支持台６１ａの上面の所定位置に配置されている。弾性部材６１ｂとして、本実施形態においてはコイルばねを採用しているが、コイルばねの他、例えば、板ばね、竹の子ばね等を使用することもできる。また、ゴムなどの合成樹脂により形成したブロック状の弾性体も使用することができる。
【００２２】
ストッパ部材６３は，平板状の部材であり、装置本体２の天板３と支持台６１ａとの間に配置されており、弾性部材６１ｂを介して支持台６１ａと連結している。装置本体２の天板３には、図４（ｂ）の拡大図に示すように、ハウジング１２，３２の両端部内側に相当する箇所に、当該天板３の上面と内面とを貫通する係止部材用孔６が形成されている。ストッパ部材６３の上面には、この係止部材用孔６に挿通可能な係止部材６６が設けられている。係止部材６６は、上述した側方突出部材１５，１６及び中央突出部材３５，３６と係合する突起状の部材である。
【００２３】
牽引部６４は、牽引部材である水平牽引部材６７および２本の垂直牽引部材６８，６８、並びに、２組のプーリ６９ａ，６９ｂ、７０ａ，７０ｂを備えている。水平牽引部材６７は、装置本体２の側面に設けられた側面孔７１ａ，７１ｂを介して、装置本体２内部を横断するように略水平に取り付けられており、その両端部には、把手７２ａ，７２ｂが取り付けられている。
【００２４】
垂直牽引部材６８は、支持台６１ａに設けられている挿通孔６５を介して、ストッパ部材６３の下面と水平牽引部材６７とを連結するように取り付けられている。垂直牽引部材６８の一方の端部は、支持台６１ａに設けられている挿通孔６５の直上におけるストッパ部材６３の下面に取り付けられており、他方の端部は、僅かな隙間を空けて配置されている一対のプーリ６９ａ，６９ｂまたはプーリ７０ａ，７０ｂの間を通すようにして、水平方向に張られた水平牽引部材６７と接続している。本実施形態においては、水平牽引部材６７および垂直牽引部材６８としてワイヤロープを用いているが、ワイヤロープの他に、例えば、繊維製ロープやチェーン等を用いてもよい。
【００２５】
このように構成された固定手段６０は、図５に示すように、例えば、水平牽引部材６７に設けられた把手７２ａを矢示Ｃ方向に牽引することにより、水平牽引部材６７および垂直牽引部材６８を介して弾性部材６１ｂを圧縮変形させながらストッパ部材６３を矢示Ｄ方向に移動することができる。これに伴い、係止部材６６は、装置本体２の天板３に設けられた係止部材用孔６に沿って埋没する。一方、把手７２ａの牽引を解除することにより、図４に示すように、弾性部材６１ｂの圧縮変形は解放され、当該弾性部材６１ｂの弾性復元力によりストッパ部材６３はＥ方向に自動的に移動する。これに伴い、各係止部材６６は、係止部材用孔６に沿って、装置本体２の上面に配置されたハウジング１２，３２内の両端部に突出する。すなわち、固定手段６０は、牽引部６４の操作によりストッパ部材６３を上下動させることによって、係止部材６６が係止部材用孔６を介してハウジング１２，３２内に出没可能となるように構成されている。
【００２６】
次に、このような構成を有する避難支援装置の作動を説明する。通常時においては、図３に示すように、メインコンベア９０と分岐コンベア９１との間に避難支援装置１を配置し、側方突出部材１５，１６、中央突出部材３５，３６およびガイド部材３７，３８をハウジング１２，３２から抜き出して固定する。これらの固定方法について以下に説明する。
【００２７】
まず、図５に示すように、例えば、把手７２ａを矢示Ｃ方向に牽引して、弾性部材６１ｂを圧縮変形させながらストッパ部材を矢示Ｄ方向に移動させることにより、係止部材６６を係止部材用孔６に埋没させる。次に、図３に示すように側方突出部材１５，１６の端部１５ｂ,１６ｂおよび中央突出部材３５，３６の端部３５ｂ,３６ｂが、係止部材用孔６を通過するまで、付勢手段１３，１４，３３，３４であるつるまきばねを引張変形させながら側方突出部材１５，１６および中央突出部材３５，３６をそれぞれハウジング１２，３２から抜き出した後、把手７２ａの牽引を解除する。把手７２ａの牽引解除により、図４に示すように弾性部材６１ｂの圧縮変形が解除されて、当該弾性部材６１ｂの弾性復元力によって、ストッパ部材６３は矢示Ｅ方向に自動的に移動し、係止部材６６と側方突出部材１５，１６または中央突出部材３５，３６とが係合状態となる。その結果、側方突出部材１５，１６および中央突出部材３５，３６は、それぞれハウジング１２，３２から張り出した状態で固定される。なお、側方突出部材１５及び中央突出部材３５の先端部１５ａ，３５ａは、装置本体２の端面２ｄから搬送面４ａ,４ｂの搬送方向外方に突出した状態で固定されている。ガイド部材３７，３８は、それぞれヒンジ３９，４０を支点として回転させて係止片９５，９６と当接するように配置する。これにより、皿に載置された飲食物などの被搬送物は、避難支援装置１を経て分岐コンベア９１を順次循環しながら、メインコンベア９０を循環する。すなわち、避難支援装置１、メインコンベア９０および分岐コンベア９１により循環搬送路が形成され、各テーブル９２の客に飲食物などを提供することができる。
【００２８】
緊急時においては、例えば、図５に示すように、把手７２ａを矢示Ｃ方向に引いてストッパ部材６３を矢示Ｄ方向に移動させることにより、固定手段６０の固定解除操作を行う。この操作により、ストッパ部材６３の上面に設けられた係止部材６６は、装置本体２の上面から埋没するため、係止部材６６と側方突出部材１５，１６との係合状態、および、係止部材６６と中央突出部材３５，３６との係合状態が解除される。係止部材６６との係合状態が解除された側方突出部材１５，１６および中央突出部材３５，３６は、付勢手段１３，１４，３３，３４であるつるまきばねの弾性復元力により引っ張られて、それぞれハウジング１２，３２内にスムーズに収納される。ガイド部材３７，３８は、ヒンジ３９，４０を介して中央突出部材３６上面に回転自在に取り付けられているため、中央突出部材３６がハウジング３２内に収納されるに伴い、ハウジング３２の端部に当接して、互いに略平行となるようにヒンジ３９，４０を支点として回転しながらハウジング３２内にスムーズに収納される。
【００２９】
このように、各突出部材１５,１６,３５,３６およびガイド部材３７，３８がハウジング１２，３２内に収納され、これらの先端部１５ａ,１６ａ,３５ａ,３６ａ,４１,４２が、装置本体２の端面２ｃ,２ｄより内方に移動することにより、各突出部材１５,１６,３５,３６またはガイド部材３７，３８が、メインコンベア９０または分岐コンベア９１と干渉することを防止することができ、避難支援装置１を搬送面４ａ，４ｂの搬送方向と直交する方向（図４（ａ）の左右方向）にスムーズに移動させることができる。この結果、メインコンベア９０と分岐コンベア９１との間に脱出用スペースを形成することができ、客がメインコンベア９０近傍のテーブル９２にいる場合であっても、上記脱出用スペースを経て迅速に店外へ脱出することが可能になる。
【００３０】
また、各突出部材１５，１６，３５，３６およびガイド部材３７,３８がハウジングに収納された状態において、これらの先端部１５ａ,１６ａ,３５ａ,３６ａ,４１,４２は、装置本体２の端面２ｃ,２ｄより内方に位置しているため、搬送面４ａ,４ｂとメインコンベア９０または分岐コンベア９１との接合部近傍に被搬送物が存在する場合であっても、避難支援装置１を移動させる際に、仕切壁９３，９４ａ，９４ｂと各突出部材１５，１６，３５，３６またはガイド部材３７，３８との間に当該被搬送物を挟み込むという事態が発生することを確実に防止することができ、避難支援装置１をスムーズに移動させることができる。
【００３１】
尚、避難支援装置１とメインコンベア９０又は分岐コンベア９１との間にリミットスイッチなどを設けて避難支援装置１の移動を検出することにより、避難支援装置１の搬送面４ａ，４ｂや、メインコンベア９０および分岐コンベア９１の作動を停止するように構成することが好ましい。
【００３２】
また、上記においては、把手７２ａを牽引する場合について避難支援装置１の作動の説明を行ったが、把手７２ｂを牽引する場合についても同様である。
【００３３】
以上、本発明の一実施形態について詳述したが、本発明の具体的な態様が上記実施形態に限定されるものではない。例えば、本実施形態においては、水平牽引部材６７を装置本体２の両方の側面から出すように構成しているが、いずれか一方の側面から出すように構成してもよい。
【００３４】
また、本実施形態においては、人が把手７２ａ又は７２ｂを牽引することにより、係止部材６６と側方突出部材１５，１６又は中央突出部材３５，３６との係合状態を解除するように構成しているが、図６に示すように、巻回手段８０の駆動により牽引部材を牽引することにより、係合状態を解除するように構成してもよい。巻回手段８０は、水平牽引部材６７の端部が接続されている回転ドラム８１、当該回転ドラム８１に連動連結した図示しない駆動手段、および駆動手段に導線８３を介して接続されているスイッチ部８２を備えている。回転ドラム８１は、正回転および逆回転が可能となるように構成されている。駆動手段としては、例えば、モータを例示することができる。スイッチ部８２，８２は、図示しない巻き取りスイッチと巻き戻しスイッチとを備えており、装置本体２の両方の側面に取り付けられている。
【００３５】
このような構成によれば、巻き取りスイッチを押圧することにより、回転ドラム８１は水平牽引部材６７を巻き取り、弾性部材６１ｂを圧縮変形させながらストッパ部材６３を矢示Ｄ方向に移動させることができる。これにより、係止部材６６を装置本体２の上面から容易に埋没させることができ、係止部材６６と側方突出部材１５，１６または中央突出部材３５，３６との係合状態を容易に解除することができる。なお、巻き戻しスイッチを押圧することにより、回転ドラム８１は逆回転し、当該回転ドラム８１に巻回されている水平牽引部材６７が送り出されると共に、弾性部材６１ｂの弾性復元力によりストッパ部材６３は上方に移動することとなる。
【００３６】
また、本実施形態においては、メインコンベア９０と分岐コンベア９１との接続部に避難支援装置１を配置しているが、避難支援装置１の配置や構成は、コンベアとの組み合わせにより循環搬送路を形成することができる限り特に限定されるものではない。例えば、平面視略Ｃ字状に形成され被搬送物を一方向に搬送するコンベアに、一方向のみの搬送面を有する避難支援装置を組み合わせて循環搬送路を形成してもよい。
【００３７】
また、本実施形態においては、付勢手段１３，１４，３３，３４として弾性部材であるつるまきばねを用いているが、例えば、以下に示すような構成としてもよい。すなわち、側方突出部材１５，１６の端部１５ｂ、１６ｂ又は中央突出部材３５，３６の端部３５ｂ,３６ｂにワイヤロープの一端を接続すると共に、ワイヤロープの他端を装置本体２の天板３に設けた付勢手段用孔５に通して装置本体２の内部に垂下させ、当該他端に側方突出部材１５，１６又は中央突出部材３５．３６よりも重いウエイト部材を接続するように構成してもよい。このような構成であっても、係止部材６６と側方突出部材１５，１６又は中央突出部材３５，３６との係合状態を解除することにより、ウエイト部材が下方に自由落下し、これに伴い、側方突出部材１５，１６又は中央突出部材３５，３６は、それぞれハウジング１２，３２内にスムーズに収納される。
【００３８】
また、本実施形態においては、係止部材６６を突起状に形成しているが、例えば、図７に示すようにプレート状に形成してもよい。このような構成により、側方突出部材１５，１６の端部１５ｂ，１６ｂ又は中央突出部材３５，３６の端部３５ｂ，３６ｂにおいて広い範囲で係合することが可能となり、確実に側方突出部材１５，１６又は中央突出部材３５，３６との係合状態を維持することができる。
【００３９】
また、本実施形態においては、係止部材６６は、側方突出部材１５，１６の端部１５ｂ，１６ｂ又は中央突出部材３５，３６の端部３５ｂ，３６ｂと係合するように構成されているが、係合する位置は特に限定されず、例えば、側方突出部材１５，１６又は中央突出部材３５，３６の下面の所定位置に係止孔を設け、当該係止孔に係止部材６６を挿入することにより、係止部材６６と側方突出部材１５，１６又は中央突出部材３５，３６とを係合してもよい。
【００４０】
また、本実施形態においては、支持手段６１は、図４（ａ）に示すように、支持台６１ａと弾性部材６１ｂとを備えており、弾性部材６１ｂを介してストッパ部材６３を支持台６１ａと連結して支持しているが、以下に示すような構成により、ストッパ部材６３を支持してもよい。すなわち、図８に示すように、支持手段６１を弾性部材８５により構成し、ストッパ部材６３を弾性部材８５を介して装置本体２の天板の内面と連結するように支持してもよい。このような構成によれば、把手７２ａまたは７２ｂを牽引することにより、弾性部材８５を引張変形させながら、ストッパ部材６３を矢示Ｄ方向に移動させることができる。これにより、係止部材６６を装置本体２の上面から容易に埋没させることができ、係止部材６６と側方突出部材１５，１６または中央突出部材３５，３６との係合状態を容易に解除することができる。
【００４１】
また。図９に示すように、ストッパ部材６３を棒状部材８６を介して支持台６１ａに連結してもよい。この棒状部材８６には、垂直牽引部材６８が接合しており、垂直牽引部材６８の牽引により棒状部材８６が矢示Ｆ方向に支持台６１ａ上に倒れるように構成されている。このような構成によれば、把手７２ａまたは７２ｂを牽引することにより、水平牽引部材６７及び垂直牽引部材６８を介して棒状部材８６を支持台６１ａ上に倒すことができ、ストッパ部材６３は、自由落下して矢示Ｄ方向に移動する。これにより、係止部材６６を装置本体２の上面から容易に埋没させることができ、係止部材６６と側方突出部材１５，１６または中央突出部材３５，３６との係合状態を容易に解除することができる。
【図面の簡単な説明】
【００４２】
【図１】本発明の一実施形態に係る避難支援装置が設置された飲食店の概略平面図である。
【図２】本発明の一実施形態に係る避難支援装置の概略平面図である。
【図３】図２に示す避難支援装置をメインコンベアと分岐コンベアとの間に配置し使用可能な状態にセッティングした状態を示す概略平面図である。
【図４】（ａ）は、図３のＡ−Ａ断面図であり、（ｂ）は、図４（ａ）のＢ部拡大図である。
【図５】本発明の一実施形態に係る避難支援装置の作動を説明するための断面図である。
【図６】本発明の他の実施形態に係る避難支援装置の断面図である。
【図７】本発明の他の実施形態に係る避難支援装置の断面図である。
【図８】本発明の他の実施形態に係る避難支援装置の断面図である。
【図９】本発明の他の実施形態に係る避難支援装置の断面図である。
【図１０】飲食物を搬送するコンベアを備えた従来の飲食店の概略平面図である。
【符号の説明】
【００４３】
１  避難支援装置
２  装置本体
２ｃ，２ｄ  端面
４ａ，４ｂ  搬送面
１１ａ,１１ｂ，３１  仕切手段
１５，１６，３５，３６  突出部材
１３，１４，３３，３４  付勢手段
５０  キャスター
６０  固定手段
【図１】
2006143367.tif 000003
【図２】
2006143367.tif 000004
【図３】
2006143367.tif 000005
【図４】
2006143367.tif 000006
【図５】
2006143367.tif 000007
【図６】
2006143367.tif 000008
【図７】
2006143367.tif 000009
【図８】
2006143367.tif 000010
【図９】
2006143367.tif 000011
【図１０】
2006143367.tif 000012